(57)【特許請求の範囲】
【請求項１】
夫々の光軸が互いに直交する方向を向くように配置された２つの半導体光源と、
前記２つの半導体光源のうち一方の半導体光源の光軸にほぼ沿って延在するリフレクタと、
他方の半導体光源の光軸に交差すると共に前記リフレクタに対峙して延在する拡散レンズと、を備え、
前記リフレクタは、その延在方向を長手方向とする部分筒状体であり、
前記部分筒状体の内面が、該一方の半導体光源から出射した光を前記拡散レンズに向けて反射する反射面に対応し、
前記反射面は、前記一方の半導体光源の光軸を取り囲むよう位置し、
前記一方の半導体光源は、前記リフレクタの延在方向一端側に配置され、該延在方向他端側を向き、
前記他方の半導体光源と前記拡散レンズの間には、該半導体光源から出射された光を部分的に通過させる複数の通光部と遮光部を備えた遮光部材が配設され、
前記拡散レンズは、前記反射面で反射された反射光及び前記他方の半導体光源から出射された直接光を前記拡散レンズの延在方向に拡散するための拡散カットが施されていることを特徴とする車両用灯具。
【請求項２】
前記他方の半導体光源から前記拡散レンズまでの光路長は、前記一方の半導体光源から前記反射面にて反射されて前記拡散レンズまで至る光路長よりも短いことを特徴とする請求項１に記載の車両用灯具。
【請求項３】
前記拡散カットは、前記拡散レンズの延在方向と直交する方向に延びる複数の凸部が前記拡散レンズの延在方向に連続して平行に並設されてなり、
前記複数の凸部は、前記拡散レンズのうち前記２つの半導体光源側の面に形成されていることを特徴とする請求項１又は請求項２のいずれかに記載の車両用灯具。
【請求項４】
前記一方の半導体光源及び前記他方の半導体光源は、夫々が実装基板に実装されて、前記リフレクタの前記延在方向一端側に配置される同一の基板支持体に取り付けられていることを特徴とする請求項１〜請求項３のいずれかに記載の車両用灯具。
【発明の詳細な説明】
【技術分野】
【０００１】
本発明は車両用灯具に関するものであり、詳しくは、ＬＥＤ光源を用い、面状光のなかに線状光を含んだ光を外部に出射する車両用灯具に関する。
【背景技術】
【０００２】
従来、車両用灯具としては、例えば、特許文献１に「車両用標識灯」として開示されたものがある。
それは、図１１に示すように、ＬＥＤ８１の前方に、レンズ部８２、連結部８３、反射部８４、連結部８５及び支持部８６で構成された光学部材８７を配置し、ＬＥＤ８１から光学部材８７の光軸Ｌ寄りに向けて出射された光をレンズ部８２で屈折させて灯具８０の前方に透過させると共に、光軸Ｌから外れた側方寄りに向けて出射された光を連結部８３を透過させて反射部８４で灯具８０の前方に反射させることにより、ＬＥＤ８１から出射された光を万遍なく利用して広がりをもった光を灯具８０の前方に導くような構成となっている。
【先行技術文献】
【特許文献】
【０００３】
【特許文献１】特開２００６−５４０９２号
【発明の概要】
【発明が解決しようとする課題】
【０００４】
ところで、上述の車両用標識灯は、光学部材８７が、ＬＥＤ８１から出射された光を光路制御することによって広がりをもたせて発光面積を大きくすることを狙った構成となっており、車両用標識灯（例えば、テール＆ストップランプ）８０からは、ＬＥＤ８１から出射して光学部材８７による光路制御によって広げられた光（面状光）が出射される。
【０００５】
この場合、車両用標識灯８０からの出射光は、輝度分布がほぼ平坦状をなすために観視者には平面的な光として認識され、魅力的な見栄えを演出するには至らない。
【０００６】
そこで、本発明は上記問題に鑑みて創案なされたもので、その目的とするところは、点灯時に立体感及び鮮鋭感（光輝感）のある光を出射することにより、光学的な意匠性を持たせて斬新な見栄えを演出することができる車両用灯具を提供することにある。
【課題を解決するための手段】
【０００７】
上記課題を解決するために、本発明の請求項１に記載された発明は、夫々の光軸が互いに直交する方向を向くように配置された２つの半導体光源と、前記２つの半導体光源のうち一方の半導体光源の光軸にほぼ沿って延在するリフレクタと、他方の半導体光源の光軸に交差すると共に前記リフレクタに対峙して延在する拡散レンズと、を備え、前記リフレクタは、その延在方向を長手方向とする部分筒状体であり、前記部分筒状体の内面が、該一方の半導体光源から出射した光を前記拡散レンズに向けて反射する反射面に対応し、前記反射面は、前記一方の半導体光源の前記光軸を取り囲むよう位置し、前記一方の半導体光源は、前記リフレクタの延在方向一端側に配置され、該延在方向他端側を向き、前記他方の半導体光源と前記拡散レンズの間には、該半導体光源から出射された光を部分的に通過させる複数の通光部と遮光部を備えた遮光部材が配設され、前記拡散レンズは、前記反射面で反射された反射光及び前記他方の半導体光源から出射された直接光を前記拡散レンズの延在方向に拡散するための拡散カットが施されていることを特徴とするものである。
【０００８】
また、本発明の請求項２に記載された発明は、請求項１において、前記他方の半導体光源から前記拡散レンズまでの光路長は、前記一方の半導体光源から前記反射面にて反射されて前記拡散レンズまで至る光路長よりも短いことを特徴とするものである。
【０００９】
また、本発明の請求項３に記載された発明は、請求項１又は請求項２のいずれかにおいて、前記拡散カットは、前記拡散レンズの延在方向と直交する方向に延びる複数の凸部が前記拡散レンズの延在方向に連続して平行に並設されてなり、前記複数の凸部は、前記拡散レンズのうち前記２つの半導体光源側の面に形成されていることを特徴とするものである。
【００１０】
また、本発明の請求項４に記載された発明は、請求項１〜請求項３のいずれかにおいて、前記一方の半導体光源及び前記他方の半導体光源は、夫々が実装基板に実装されて、前記リフレクタの前記延在方向一端側に配置される同一の基板支持体に取り付けられていることを特徴とするものである。
【発明の効果】
【００１１】
本発明によれば、２つのＬＥＤ光源を夫々の光軸が互いに直交する方向を向くように配置し、２つのＬＥＤ光源のうち一方のＬＥＤ光源の光軸にほぼ沿うように、該一方のＬＥＤ光源が位置する側に反射面を有するリフレクタを配置し、２つのＬＥＤ光源のうち他方のＬＥＤ光源の光軸に交差すると共にリフレクタの反射面に対峙して延在する、拡散カットが施された拡散レンズを配置した。
【００１２】
これにより、一方のＬＥＤ光源から出射してリフレクタの反射面で反射された反射光及び他方のＬＥＤ光源から出射した直接光の夫々が拡散レンズで拡散されて外部に出射される。
【００１３】
その結果、拡散レンズからは、横長のソフトな面状光のなかに明るく輝く線状光（光の筋）有する光が出射され、それによって、光学的な意匠性を持たせて斬新な見栄えを演出できる車両用灯具が実現できた。
【図面の簡単な説明】
【００１４】
【図１】実施形態の車両用灯具の概略模式図である。
【図２】同じく、実施形態の車両用灯具の正面図である。
【図３】図２のＡ−Ａ断面図である。
【図４】図２のＢ−Ｂ断面図である。
【図５】遮光板の説明図である。
【図６】実施形態の車両用灯具の光路説明図である。
【図７】インナーレンズからの出射光の説明図である。
【図８】遮光板の通光孔による通過光の説明図である。
【図９】インナーレンズからの出射光の説明図である。
【図１０】同じく、インナーレンズからの出射光の説明図である。
【図１１】従来例の説明図である。
【発明を実施するための形態】
【００１５】
以下、この発明の好適な実施形態を図１〜図１０を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１６】
図１は本実施形態の車両用灯具の概略模式図、図２は正面図、図３は図２のＡ−Ａ断面図、図４は図２のＢ−Ｂ断面図である。なお、図１は、後述する遮光板を取り除いた状態を示している。
【００１７】
車両用灯具（以下、「灯具」と略称する）６０は、光源となる２つの半導体光源（実施形態においては、第１ＬＥＤ１及び第２ＬＥＤ２）、リフレクタ１０及びインナーレンズ３０を備えており、これらにより、出射光によって所定の照射パターンを形成する灯具の光学系が構成されている。
【００１８】
第１ＬＥＤ１及び第２ＬＥＤ２は、夫々が各実装基板３（実装基板３ａ及び実装基板３ｂ）に実装されて基板支持体４に取り付けられている。第１ＬＥＤ１と第２ＬＥＤ２は互いに隣接して、且つ、第１ＬＥＤ１の光軸Ｘ１と第２ＬＥＤ２の光軸Ｘ２とが互いにほぼ直交する方向を向くように配置されている。
【００１９】
リフレクタ１０は、内部が中空な筒状体が長手方向（軸線）に沿って部分的に切り取られた形状の部分筒状を有しており、少なくとも、部分筒状の内面には鏡面反射面１１が形成されている。また、リフレクタ１０及び鏡面反射面１１は、２つのＬＥＤのうち一方（例えば、第１ＬＥＤ１）の近傍側方位置から該第１ＬＥＤ１の照射方向（前方）に向かって光軸Ｘ１に沿って平行、あるいは後述するインナーレンズ３０と反対方向から光軸Ｘ１に近づく方向に傾斜して延在しており、そのうち鏡面反射面１１は、第１ＬＥＤ１が位置する側に、光軸Ｘ１を取り囲むように位置すると共に、第１ＬＥＤ１から鏡面反射面１１に向けて出射された光をインナーレンズ３０に向けて反射する機能を有している。
【００２０】
インナーレンズ３０は、透明材料で略板状に形成され、２つのＬＥＤのうち他方のＬＥＤ（第２ＬＥＤ２）の前方位置からリフレクタ１０と対峙して延在すると共に、リフレクタ１０と対向する側の面（内面）が、該インナーレンズ３０の延在方向と略直交方向に延びる複数の凸面が前記延在方向に連続して平行に並設されてなるプリズムカット面３１で構成されている。したがって、インナーレンズ３０は、第２ＬＥＤ２の光軸Ｘ２方向に対して垂直あるいは垂直に近い方向に延在している。
【００２１】
また、第２ＬＥＤ２は、図５（遮光板の説明図）に示すように、該第２ＬＥＤ２の光出射面２ａの近傍前方に遮光部材からなる遮光板５が配設されており、遮光板５には該遮光板５を貫通する、例えば、夫々が適宜な径の円形状の複数の通光孔５ａが設けられている。通光孔５ａは、第２ＬＥＤ２からインナーレンズ３０に向けて出射された光を部分的に通過させて該インナーレンズ３０に照射する機能を有している。
【００２２】
なお、本実施例においては、第２ＬＥＤ２からインナーレンズ３０に向けて出射された光を部分的に通過させる手段として、遮光部材からなる遮光板５を貫通する通光孔を設けたが、必ずしもこれ（通光孔）に限られるものではなく、例えば、透明部材で形成された透明体の、光を通過させる部分（通光孔に対応する部分）以外の部分に遮光膜を被膜することも可能である。
【００２３】
次に、光源の第１ＬＥＤ１及び第２ＬＥＤ２の夫々から出射した光の光路形成について、図６〜図１０を参照して説明する。
【００２４】
図６（光路説明図）より、第１ＬＥＤ１の光軸Ｘ１に対して鏡面反射面１１の延在方向のなす角度がゼロかあるいは小さいため、鏡面反射面１１の全長が第１ＬＥＤ１の出射光の照射領域内に位置する。その結果、光源の第１ＬＥＤ１からリフレクタ１０の鏡面反射面１１に向けて放射状に出射した光Ｌ１は、鏡面反射面１１の全面に亘って照射される。
【００２５】
同時に、鏡面反射面１１の、第１ＬＥＤ１の光軸Ｘ１をインナーレンズ３０の方向から投影した線上、換言すると、光軸Ｘ１に最も近い位置に沿う線状に、第１ＬＥＤ１の光軸近傍を進む光束密度が最も高い光が照射される。
【００２６】
そして、第１ＬＥＤ１から出射して上述のようにリフレクタ１０の鏡面反射面１１で反射された光Ｌ１は、リフレクタ１０とインナーレンズ３０との間に位置する空間４０を伝搬されてインナーレンズ３０の内面に照射され、内面に設けられたプリズムカット面３１で該プリズムカット面３１の延長方向と直交する方向に広角に広げられ（拡散され）てインナーレンズ３０に導入され、インナーレンズ３０内を導光されて前面（光出射面）３２から外部に出射される。
【００２７】
そのため、インナーレンズ３０の光出射面３２からは図７（インナーレンズからの出射光の説明図）にあるように、横長のソフトな面状光５０のなかに一本の長く明るく輝く線状光（光の筋）５１を有する光が出射される。
【００２８】
一方、図６に戻って、光源の第２ＬＥＤ２からインナーレンズ３０に向けて放射状に出射した光Ｌ２は、図８（遮光板の通光孔による通過光の説明図）に示すように、前方に配設された遮光板５に照射され、遮光板５に設けられた複数の通光孔５ａの夫々に照射された光のみが通光孔５ａを通過し、その通過光５ｂが遮光板５とインナーレンズ３０との間に位置する空間４０を伝搬されてインナーレンズ３０の内面に照射される。
【００２９】
なお、第２ＬＥＤ２から出射して遮光板５の各通光孔５ａを通過してインナーレンズ３０に照射される光（通過光）５ｂは、夫々の通光孔５ａがインナーレンズ３０の長さに対して限定された径を有すると共に、インナーレンズ３０が第２ＬＥＤ２の光軸Ｘ２方向に対して垂直に近い方向に延在しているため、インナーレンズ３０の延在方向に対しては大きくは拡張されない。
【００３０】
そして、インナーレンズ３０の内面に照射された各通光孔５ａの通過光５ｂは、内面に設けられたプリズムカット面３１で該プリズムカット面３１の延長方向と直交する方向に広角に広げられ（拡散され）てインナーレンズ３０に導入され、インナーレンズ３０内を導光されて前面（光出射面）３２から外部に出射される。
【００３１】
そのため、インナーレンズ３０の光出射面３２からは図９（インナーレンズからの出射光の説明図）にあるように、光源の第２ＬＥＤ２側からインナーレンズ３０の延在方向に沿って適宜な位置まで延びる、遮光板５に設けられた通光孔５ａの数だけの明るい線状光（光の筋）５２が出射される。
【００３２】
以上より、インナーレンズ３０の前面（光出面）３２からは、第１ＬＥＤ１から出射してリフレクタ１０の鏡面反射面１１及びインナーレンズ３０で光路制御された光Ｌ１（図７参照）と、第２ＬＥＤ２から出射して遮光板５の通光孔５ａを透過してインナーレンズ３０で配光制御された光５ｂ（図９参照）と、を重畳した光（図１０（インナーレンズからの出射光の説明図）参照）が出射される。
【００３３】
ところで、第２ＬＥＤ２から出射して遮光板５の各通光孔５ａを通過してインナーレンズ３０に照射される光５ｂが光源の第２ＬＥＤ２からの直接光であるに対し、光源の第１ＬＥＤ１から出射してリフレクタ１０の鏡面反射面１１で反射されてインナーレンズ３０に照射される光Ｌ１は鏡面反射面１１による反射光である。また、前者の直接光における第２ＬＥＤ２からインナーレンズ３０までの光路長は、後者の反射光における第１ＬＥＤ１からインナーレンズ３０までの光路長よりも短い。
【００３４】
そのため、各通光孔５ａを透過してインナーレンズ３０に照射された光５ｂは、鏡面反射面１１で反射されてインナーレンズ３０に照射された光Ｌ１よりも光束密度が高く明るい。
【００３５】
その結果、インナーレンズ３０の前面（光出面）３２からは、図１０に示すように、横長のソフトな面状光５０のなかに一本の長く明るく輝く線状光（光の筋）５１と、一方の側から適宜な位置まで延びる複数の線状光（光の筋）５２を有する光が出射される。
【００３６】
これにより、点灯時に立体感及び鮮鋭感（光輝感）のある光を出射することにより、光学的な意匠性を持たせて斬新な見栄えを演出することができる車両用灯具が実現した。
【符号の説明】
【００３７】
１…  第１ＬＥＤ
２…  第２ＬＥＤ
２ａ…  光出射面
３…  実装基板
３ａ…  実装基板
３ｂ…  実装基板
４…  基板支持体
５…  遮光板
５ａ…  通光孔
５ｂ…  通過光
１０…  リフレクタ
１１…  鏡面反射面
３０…  インナーレンズ
３１…  プリズムカット面
３２…  前面（光出射面）
４０…  空間
５０…  面状光
５１…  線状光
５２…  線状光
６０…  車両用灯具
【図１】
0006654034.tif 000002
【図２】
0006654034.tif 000003
【図３】
0006654034.tif 000004
【図４】
0006654034.tif 000005
【図５】
0006654034.tif 000006
【図６】
0006654034.tif 000007
【図７】
0006654034.tif 000008
【図８】
0006654034.tif 000009
【図９】
0006654034.tif 000010
【図１０】
0006654034.tif 000011
【図１１】
0006654034.tif 000012